(57)【要約】  【課題】薬液を吸入して注射を行うまでの間に、薬液を誤噴射させない針無し注射器を提供する。  【解決手段】薬液を押し出すピストン４を連結したピストンロッド５をラッチする後側円筒部８にカム１９ａとカム取付台１９ｂからなるカム部１９を固設し、前記ピストンロッド５のラッチを制御する注射ボタン７に凸部７ａを形成する。そして、前記注射ボタン７の下にカム保持部６ｃが形成されたアーム６ａを有するロック解除ボタン６を近接して並設する。これにより薬液を吸入した状態では前記カム１９ａにより前記注射ボタン７の押し込みが阻止され、ロック解除ボタン６を押すことによりカム１９ａが凸部７ａから離れ押し込み可能となる。【選択図】          図１
2006263208.tif 000002
【特許請求の範囲】
【請求項１】
ノズルの噴射孔から薬液を吸入する段階でピストンロッドをラッチして前進力を付勢する手段と、ロック用当接部を有し、薬液を吸入した注射準備完了後にピストンロッドのラッチ状態を解除する注射ボタンを備え、前記ピストンロッドに連結するピストンをノズル内に高速で押し込み、薬液を噴射する針無し注射器において、
ロック解除用アームを有するロック解除ボタンと、
前記ロック解除ボタンをその反押し込み方向に付勢する解除ボタン付勢手段と、
前記ロック用当接部と当接して前記注射ボタンの押し込みをロックする阻止部と、前記ロック解除用アームと契合するロック解除用契合部とを有するカムと、
前記ロック用当接部との当接位置に前記カムを付勢するカム付勢手段とを備え、
前記カムは、前記ロック解除ボタンの押し込みにより、前記カム付勢手段の付勢方向に反して、前記ロック解除用アーム、ロック解除用契合部との契合を介して前記ロック用当接部と前記阻止部とのロック状態を形成する当接を解除させる位置に移動するよう配設されていることを特徴とする針無し注射器。
【請求項２】
前記ロック解除用アームは、前記ロック解除ボタンを押し込んだ状態で、ロック状態を形成する前記ロック用当接部と前記阻止部との当接を解除させる位置に前記カムを保持するよう前記ロック解除用契合部と契合するカム保持部を有し、
前記カムは、前記ロック状態を形成する当接を解除させる位置に保持された状態で前記注射ボタンの押し込まれた時に、前記ロック用当接部と前記阻止部が契合することで、前記カム保持部と前記ロック解除用契合部との契合を解除させる程度に前記カム付勢手段に抗して移動するよう配設されていることを特徴とする請求項１記載の針無し注射器。
【請求項３】
注射ロック解除をワンプッシュでできるロック解除ボタンを備えていることを特徴とする請求項１記載の針無し注射器。
【請求項４】
前記注射ボタンと前記ロック解除ボタンを近接して並設するとともに、その間に前記注射ボタンと前記ロック解除ボタンの同時押しを防止する隔壁を設けたことを特徴とする請求項２記載の針無し注射器。
【請求項５】
前記ロック解除ボタンの両側の取り付け面の高さが前記ロック解除ボタンが押し込まれたときの高さより低くしたことを特徴とする請求項３記載の針無し注射器。
【発明の詳細な説明】
【技術分野】
【０００１】
本発明は、ノズルの噴射孔から吸入した一定量の薬液をジェット噴射させて皮下注射を行う針無し注射器に関する。
【背景技術】
【０００２】
針無し注射器はその先端部のノズルの噴射孔から薬液を一定量吸入した後、再度噴射孔から薬液をジェット噴射することにより、薬液を患者の皮下に注入する注射器である。すなわち、針無し注射器による注射は皮下注射時に注射針を使用しないため、痛みを伴わない、注射痕が残らない、注射ミスが皆無等の利点があり、例えば糖尿病患者自身が日常的にインシュリンを自己注射する場合にも用いられている。
【０００３】
このような針無し注射器には、一般に図５に示すような構成のものが用いられている。すなわち、針無し注射器は噴射孔２１ａを有するノズル２１が組み込まれた前側円筒部２３と、ピストン２４を連結したピストン駆動用ロッド（以下、ピストンロッドと略称する）２５をラッチ（固定）又は解除するラッチ機構２２とリリーススイッチ２７を組み込んだ後側円筒部２８をネジ部２９で螺合させて構成されている。
前記ピストンロッド２５の前方部にはフランジリング２５ａが一体的に固定され、そのフランジリング２５ａと後側円筒部２８の後壁間にピストンロッド２５を通して圧縮バネ２６が取り付けられている。
【０００４】
図５の状態から針無し注射器の後側円筒部２８を回転して前進させると、ラッチ機構２２はピストンロッド２５をラッチすると共に圧縮バネ２６を圧縮し、その圧縮力によりピストンロッド２５には前進力が付勢される。
この状態で針無し注射器のノズル２１を薬液バイアル（図示せず）の吸出口に押し当て前記後側円筒部２８を逆回転し後退させると、ノズル２１とピストン２４間にできる空間内に薬液が吸入される。所定の薬液量を吸入した後、注射部位にノズル２１の噴射孔２１ａを押し当てたままでリリーススイッチ２７を押すと、ラッチ機構２２のラッチが解除されてピストンロッド２５はフリーとなって高速で前進し、薬液はピストン２４で加圧され噴射孔２１ａから皮下に注入される。
【０００５】
このような針無し注射器において、リリーススイッチ２７の押し込みに強い力を要すると、注射時に注射器をぐらつかせたり、ノズル２１が注射部位から動くなどして正確に薬液注入が行えなくなるので、押し込み力をあまり強くすることができない。これがため、薬液を吸入した後、注射を行うまでの間に誤ってリリーススイッチ２７に触れるなどして、ピストンロッド２５を誤発進させてしまうことがある。このため、例えば、図６の上面図（Ａ）及び縦断断面図（Ｂ）に示すような針無し注射器が考案されている。この針無し注射器は、後側円筒部３８の後部にＬ字状の凹部３８ａと、リリーススイッチ３７に凸部３７ａを設けており、前記後側円筒部３８の後退時にボール３１を回転させ、このボール３１を介してリリーススイッチ３７を回転させる。これにより、前記凸部３７ａが凹部３８ａの前進禁止ゾーンに移動し、リリーススイッチ３７が自動的に押し込まれ、ピストンロッド３５の誤発進が防止される。
【特許文献１】特開２００１−２０４８１９号公報
【発明の開示】
【発明が解決しようとする課題】
【０００６】
従来の針無し注射器は上記のように構成されているが、注射ロックの解除、すなわちリリーススイッチ３７の前進を可能にするにはその都度リリーススイッチ３７を回転させて行なわなければならないため、注射ロックとその解除の都度注射器を握り替えて行なわねばならず、操作が面倒であった。また、注射ロック部材を単独に設ける方法も考えられるが、この場合注射準備完了後、その使用者が忘れずに行なう必要がある。
本発明は、このような事情に鑑みてなされたものであって、ピストンロッドの誤発進を自動的に防止することができる針無し注射器を提供することを目的とする。
【課題を解決するための手段】
【０００７】
上記の目的を達成するため、請求項１の発明の針無し注射器は、ノズルの噴射孔から薬液を吸入する段階でピストンロッドをラッチして前進力を付勢する手段と、ロック用当接部を有し、薬液を吸入した注射準備完了後にピストンロッドのラッチ状態を解除する注射ボタンを備え、前記ピストンロッドに連結するピストンをノズル内に高速で押し込み、薬液を噴射する針無し注射器において、
ロック解除用アームを有するロック解除ボタンと、
前記ロック解除ボタンをその反押し込み方向に付勢する解除ボタン付勢手段と、
前記ロック用当接部と当接して前記注射ボタンの押し込みをロックする阻止部と、前記ロック解除用アームと契合するロック解除用契合部とを有するカムと、
前記ロック用当接部との当接位置に前記カムを付勢するカム付勢手段とを備え、
前記カムは、前記ロック解除ボタンの押し込みにより、前記カム付勢手段の付勢方向に反して、前記ロック解除用アーム、ロック解除用契合部との契合を介して前記ロック用当接部と前記阻止部とのロック状態を形成する当接を解除させる位置に移動するよう配設したものである。
【０００８】
本発明が第２に提供する発明は、請求項１記載の針無し注射器において、前記ロック解除用アームは、前記ロック解除ボタンを押し込んだ状態で、ロック状態を形成する前記ロック用当接部と前記阻止部との当接を解除させる位置に前記カムを保持するよう前記ロック解除用契合部と契合するカム保持部を有し、
前記カムは、前記ロック状態を形成する当接を解除させる位置に保持された状態で前記注射ボタンの押し込まれた時に、前記ロック用当接部と前記阻止部が契合することで、前記カム保持部と前記ロック解除用契合部との契合を解除させる程度に前記カム付勢手段に抗して移動するよう配設したものである。
【０００９】
また本発明が第３に提供する発明は、請求項１に記載の針無し注射器において、注射ロック解除をワンプッシュでできるロック解除ボタンを備えたものである。
さらに本発明が第４に提供する発明は、請求項３に記載の針無し注射器において、前記注射ボタンと前記ロック解除ボタンを近接して並設するとともに、その間に前記注射ボタンと前記ロック解除ボタンの同時押しを防止する隔壁を設けたものである。
そして本発明が第５に提供する発明は、請求項４に記載の針無し注射器において、前記ロック解除ボタンの両側の取り付け面の高さが前記ロック解除ボタンが押し込まれたときの高さより低くしたものである。
【００１０】
本発明の針無し注射器は上記のように構成されており、注射ボタンに誤って接触したり押すなどして起るピストンを駆動するピストンロッドの誤発進に伴う薬液噴射を防止することができる。
【発明の効果】
【００１１】
本発明の針無し注射器は、注射ボタンの近傍にロック解除ボタンが配設されているので、使用者が握り変えをしなくても注射ボタンのロックの解除操作が容易に行える。またロック解除ボタンは直線運動により働かせるようになっているので押し動作のみでロックの解除が容易に行なえる。そしてまた注射ボタンの近傍にロック解除ボタンがあると誤って両方を同時に押しやすいが、注射ボタンとロック解除ボタンの間に隔壁を設けたことによりこのミス操作がなくなり、またロック解除ボタンの左右の面の高さを押したときの高さを低くしたことによりロック解除ボタンが押しやすくなる。
【発明を実施するための最良の形態】
【００１２】
以下、実施例により本発明の針無し注射器を詳細に説明する。図１は本発明の針無し注射器の構成を示す縦断断面図（Ａ）、後面図（Ｂ）及び後部側面図（Ｃ）である。
本発明の針無し注射器は、図１に示すように噴射孔１ａとシリンダ１ｂを連結して形成し、シール部材４ａを巻着したピストン４の後退時に生じる空間部に薬液を吸入し、前進時に薬液を前記噴射孔１ａから噴射するノズル１を先端側に螺合等で固着すると共に外周部に吸入した薬液量を表示する薬液量表示窓２を開口した前側円筒部３と、前記ピストン４を連結したピストンロッド５と、前記ピストンロッド５の軸方向の動きを固定するラッチ機構部１０、該ラッチ機構部１０のラッチ状態を解除する注射ボタン７及び該注射ボタン７の動きをロックするロック機構部１３を内設した後側円筒部８と、前記ロック機構部１３と連動して注射ボタン７のロック状態を解除するロック解除ボタン６と前記注射ボタン７を近接して並設したボタン操作部１５から構成されている。
【００１３】
前記前側円筒部３と前記後側円筒部８はネジ部９で螺合され、また前記後側円筒部８は前記ボタン操作部１５に圧入され一体的に結合されている。この前側円筒部３を固定してボタン操作部１５を時計方向に回転させると後側円筒部８が前進し、逆回転させると後退する。
【００１４】
前記ラッチ機構部１０は、ピストンロッド５に設けたラッチ溝１２と、前記後側円筒部８に設けた複数の小孔１７と、前記注射ボタン７に設けられた当たり面１８及び圧縮バネ７ｂにより構成されている。また、前記ロック機構部１３は、前記注射ボタン７に設けた凸部（ロック用当接部）７ａと、阻止部１９ｅと凸部（ロック解除用契合部）１９ｃを形成したカム１９ａとカム取付台１９ｂからなるカム部１９と、先端にカム保持部６ｃを形成したアーム６ａを有し、バネ６ｂにより後方への付勢力を備えたロック解除ボタン６から構成され、前記カム１９ａはバネ１９ｄのバネ力により反時計方向の回転力が付勢されている。カム保持部６ｃは、凸部１９ｃと契合し、ロック解除ボタン６の押し込みによりカム１９ａをバネ１９ｄの反付勢方向に移動させる契合部と、ロック解除状態にカム１９ａを保持する保持部とからなる。
【００１５】
上記針無し注射器において、前記注射ボタン７とロック解除ボタン６はプッシュ式のものを使用し、これを近接して配設することにより、使用者が注射器を握り変えなくても、注射ボタン７のロック状態をロック解除ボタン６を押して解除し、続いて注射ボタン７を押して注射することができる。
【００１６】
また前記注射ボタン７とロック解除ボタン６の間に隔壁２０を設けることにより、ロック解除ボタン６を押す際、誤って注射ボタン７を同時に押してしまうことにより、薬液を注射部位以外の場所において噴射してしまうミスを無くすことができる。
【００１７】
さらに、ロック解除ボタン６が取り付けられている左右の面の高さを図１（Ｃ）の点線で示したロック解除ボタン６が押し込まれ状態の押し面の高さより低く形成しておくことにより、ロック解除ボタン６の押す位置が中心から左右どちらかにずれても容易に押し込めることができ、片手での操作を容易にする。
【００１８】
上記針無し注射器で薬液を吸入し、注射を行うには、先ず図１に示すように、ボタン操作部１５を時計方向に回転してピストン４をノズル１の内部先端まで前進させる。この時薬液量表示窓２の目盛り数値は０を示し、前記ボール１１はラッチ溝１２に嵌るとともに注射ボタン７の当たり面１８で押さえられた状態、すなわちピストンロッド５が後側円筒部８にラッチされた状態になる。また、注射ボタン７に設けられた凸部７ａは、前記後側円筒部８に設けられたカム部１９のカム１９ａの右側に移動する。このカム１９ａにはバネ１９ｄにより反時計方向の力が作用しているので、この状態の時、前記凸部７ａの前進がカム１９ａの阻止部１９ｅに阻止されるので注射ボタン７を押し込むことができない。この状態から薬液を吸入して噴射するまでの本針無し注射器、特に本発明の特徴であるロック機構部１３の動作を詳細に図２から図４の針無し注射器の縦断断面図を参照しながら以下に説明する。
【００１９】
図１の針無し注射器に薬液を吸入するには、針無し注射器の前記前側円筒部３を把持してノズル１の噴射孔１ａを薬液バイアル（図示省略）の吸入口に押し当てて、所定の薬液量が吸入されるまで前側円筒部３を固定したままでボタン操作部１５を反時計方向に回転させる。これにより前記後側円筒部８は前記ピストンロッド５をラッチした状態でボタン操作部１５と連動して後退し、前記ピストン４とシリンダ１ｂ間の空間内に所定量の薬液が吸入される。この間、前記ロック機構部１３は図１の状態を維持し、注射ボタン７に誤って触れることがあっても薬液噴射が起らない。
【００２０】
次に注射を行うには、薬液を吸入した針無し注射器を注射部位に注射器の前記噴射孔１ａを当てがいながら図２の点線位置にあるロック解除ボタン６を押す。すると、ロック解除ボタン６は実線位置に移動し、その先端がカム保持部６ｃのアーム６ａも前方方向に移動する。このアーム６ａの移動につれて前記カム部１９のカム１９ａは徐々に時計方向し、図２に示すようにカム１９ａに設けられている三角形の凸部１９ｃとアーム６ａのカム保持部６ｃとが契合して注射ボタン７の凸部７ａはカム１９ａの右側に移動し、注射ボタン７のロック機構部１３が解除された状態、すなわち注射スタンバイ状態となる。
【００２１】
上記注射スタンバイ状態で注射ボタン７を押すと、前記ロック機構部１３は図３に示した状態となる。すなわち注射ボタン７の凸部７ａは図３に示すようにカム部１９のカム１９ａを時計方向に回転させながらカム１９ａの阻止部１９ｅを乗り越えて左側に移動するとともに、アーム６ａのカム保持部６ｃと凸部１９ｃとの契合が解かれ、バネ６ｂの付勢力によってロック解除ボタン６が後方位置に戻る。そして、注射ボタン７の当たり面１８は小孔１７の前方に移動し、ボール１１はフリーとなりピストンロッド５の前方への付勢力によってラッチ溝１２から抜け出しピストンロッド５と後側円筒部８のラッチが解除され、ピストンロッド５は高速で前方へ移動する。空間内の薬液は前記ピストン４で押されて高圧となり噴射孔１ａから噴射され注射が行なわれる。
【００２２】
再度、針無し注射器に薬液を吸入するには、前記ボタン操作部１５を回転して、前記薬液量表示窓２の表示が０となる位置まで後側円筒部８を押し込む。前記後側円筒部８の小孔１７がラッチ溝１２上に到達すると図４に示すようにボール１１がラッチ溝１２に落ち込む。すると注射ボタン７は圧縮バネ７ｂの後方への付勢力によって、点線で示す方向に後退し前記ボール１１を当たり面１８で押さえ込みピストンロッド５ラッチされるとともに、凸部７ａは前記カム１９ａを時計方向に回転させカム１９ａの右側に移動し図１の状態に戻る。
【００２３】
上記実施例に示すように、本針無し注射器は、ピストンロッド５のラッチを解除する注射ボタン７が取り付けられた操作面に注射ボタン７のロックを解除するロック解除ボタン６を近接して並設したことにより、握り直すことなく容易に注射できることを特徴としており、本発明の構成は実施例により限定されるものではない。例えば、ロック解除ボタン６を注射ボタン７の上側に配設したり、ロック解除ボタン６と注射ボタン７の高さを変えることも可能である。
【産業上の利用可能性】
【００２４】
ノズルの噴射孔から吸入した一定量の薬液をジェット噴射させて皮下注射を行う針無し注射器に用いられる。
【図面の簡単な説明】
【００２５】
【図１】本発明の実施例による針無し注射器の構成を示す縦断断面図（Ａ）、後面図（Ｂ）及び後部側面図（Ｃ）である。
【図２】注射ボタンのロック解除時におけるロック機構部の状態を示す縦断断面図である。
【図３】注射ボタンによるラッチ解除時のロック機構部の状態を示す縦断断面図である。
【図４】薬液吸入中のラッチ機構部の状態を示す縦断断面図である。
【図５】従来の針無し注射器の断面図である。
【図６】従来の針無し注射器の上面図（Ａ）と縦断断面図（Ｂ）である。
【符号の説明】
【００２６】
１、２１  ノズル
１ａ、２１ａ  噴射孔
１ｂ  シリンダ
２  薬液量表示窓
３、２３  前側円筒部
４、２４  ピストン
４ａ  シール部材
５、２５、３５  ピストンロッド
６  ロック解除ボタン
６ａ  アーム
６ｂ、１９ｄ  バネ
６ｃ  カム保持部
７  注射ボタン
７ａ、１９ｃ、３７ａ  凸部
７ｂ、２６  圧縮バネ
８、３８、２８  後側円筒部
９、２９  ネジ部
１０  ラッチ機構部
１１、３１  ボール
１２  ラッチ溝
１３  ロック機構部
１５  ボタン操作部
１７  小孔
１８  当たり面
１９  カム部
１９ａ  カム
１９ｂ  カム取付台
１９ｅ  阻止部
２０  隔壁
２２  ラッチ機構
２５ａ  フランジリング
２７、３７  リリーススイッチ
３８ａ  凹部
【図１】
2006263208.tif 000003
【図２】
2006263208.tif 000004
【図３】
2006263208.tif 000005
【図４】
2006263208.tif 000006
【図５】
2006263208.tif 000007
【図６】
2006263208.tif 000008